(57)【要約】【課題】  小さな設置スペースで、音響効果の優れた音響システムを簡便に構築することができるプロジェクタの設置スタンドを提供すること。【解決手段】  プロジェクタの設置スタンド１は、低音域の音を発するスピーカ９および、スピーカ９に供給される音声信号を増幅するためのアンプ部１０を内蔵している。スタンド１に設置されているプロジェクタ３０は、ＤＶＤを再生するＤＶＤユニットと、ステレオ対応のスピーカ４６，４７を内蔵している。プロジェクタ３０のＤＶＤユニットから出力された音声信号は、音声ケーブル７１を介して入力端子部１４へ入力し、アンプ１０へ供給される。これにより、スタンド１のスピーカ９と、スタンド１に設置されたプロジェクタ３０のスピーカ４６，４７とにより、２．１チャンネルの音響システムが構築される。【選択図】      図４
2006235156.tif 000002
【特許請求の範囲】
【請求項１】
映像を投写するプロジェクタを設置するスタンドであって、
前記プロジェクタを設置するための設置板と、
前記設置板を支持する本体部と、
前記本体部を支持し、前記本体部の底部に設けられた複数のキャスターと、を備え、
前記本体部に、低音域の音を発するスピーカを内蔵することを特徴とするプロジェクタの設置スタンド。
【請求項２】
さらに前記設置板を支持し、前記本体部と接続する支柱を備え、
前記支柱は、前記本体部からの突出長さを変更可能に設けられていることを特徴とする請求項１に記載のプロジェクタの設置スタンド。
【請求項３】
前記設置板と前記支柱との間に、前記プロジェクタと同等の大きさの電子機器を設置可能な棚を有し、前記棚は、前記設置板を前記設置板の一辺を支点にして前記本体部に対して傾きを持たせるためのチルト機構を備えることを特徴とする請求項１または２に記載のプロジェクタの設置スタンド。
【請求項４】
前記設置板は、さらに弾性部材を有し、前記弾性部材は、前記設置板の前記プロジェクタが設置される設置範囲よりも広い範囲に設けられることを特徴とする請求項１〜３のいずれか１項に記載のプロジェクタの設置スタンド。
【請求項５】
前記本体部は、外部からの電力を引き込むための電源ケーブルと、前記電源ケーブルから供給される電力を分配するための複数のコンセントと、前記プロジェクタを含む外部電子機器から供給される音を表す音声信号を入力する入力端子部と、前記電源ケーブルから供給された電力により前記音声信号を増幅して前記スピーカから発音させるアンプ部と、をさらに備えることを特徴とする請求項１〜４のいずれか１項に記載のプロジェクタの設置スタンド。
【請求項６】
前記本体部は、前記スピーカの背面から発せられる音の位相を反転させるための共振空間と、前記共振空間により位相が反転された音を放出する開口部と、をさらに備えることを特徴とする請求項１〜５のいずれか１項に記載のプロジェクタの設置スタンド。
【請求項７】
前記アンプ部は、前記音声信号における所定の周波数以下の周波数成分のみを通過させるローパスフィルタ回路と、前記音声信号の増幅度を調整するための音量調整回路と、を備え、
前記ローパスフィルタ回路には、前記所定の周波数の設定値を調整するためのバス調整スイッチが含まれ、前記音量調整回路には、前記音量調整回路の音量を調整するための音量調整スイッチが含まれることを特徴とする請求項１〜６のいずれか１項に記載のプロジェクタの設置スタンド。
【請求項８】
少なくとも前記バス調整スイッチおよび前記音量調整スイッチは、前記本体部における、前記プロジェクタが前記設置板に設置された状態で前記映像を投写する方向の反対側の面に設けられていることを特徴とする請求項１〜６のいずれか１項に記載のプロジェクタの設置スタンド。
【請求項９】
前記本体部は、前記スピーカと組み合わせることにより音響システムを構築するための複数の外部スピーカを収納するスピーカ収納部をさらに備えることを特徴とする請求項１〜８のいずれか１項に記載のプロジェクタの設置スタンド。
【発明の詳細な説明】
【技術分野】
【０００１】
本発明は、映像を投写するプロジェクタの設置スタンドに関する。
【背景技術】
【０００２】
図６は、従来のプロジェクタの設置スタンドを用いて、プロジェクタがスクリーンＳＣに映像を投写している状況の一態様を示す図である。スタンド５０の天面にはプロジェクタ５１が設置され、中段部には、例えば、ＤＶＤ（Digital Versatile Disk）プレーヤ５２が設置されている。ＤＶＤプレーヤ５２は、プロジェクタ５１に、映像を表す映像信号をケーブル５３を介して供給する映像信号供給装置である。プロジェクタ５１およびＤＶＤプレーヤ５２は、外部電源７０にそれぞれの電源ケーブル５８，５９を接続し電力を導いている。
【０００３】
例えば、プロジェクタ５１を用いてＤＶＤに記録された映画を鑑賞する場合、臨場感のある音を再現するために、別体のステレオ対応のスピーカ５４，５５と、サブウーハ５６とにより、２．１チャンネルの音響システム６０を構築していた。スピーカ５４，５５およびサブウーハ５６には、それぞれＤＶＤプレーヤ５２から音を規定する音声信号を伝達する配線５７が接続されていた。サブウーハ５６は、大きく良質な低音域の音を得るために、アンプおよび大口径のスピーカを内蔵し、さらにスタンド５０と同等の設置面積を持つ重量のある堅牢な構造を有していた。
【０００４】
また、特許文献１には、スタンド部分の正面に小さなステレオ対応のスピーカを設けたパソコン用の液晶ディスプレイが開示されている。これは、パソコンの使用者と向かい合う面に、スピーカを設けることにより、音を聞きやすくするためのものである。
【０００５】
【特許文献１】実用新案登録第３０４３６２８号公報
【発明の開示】
【発明が解決しようとする課題】
【０００６】
しかしながら、従来のプロジェクタ５１における音響システム６０は、プロジェクタ５１とＤＶＤプレーヤ５２が設置されたスタンド５０に加えて、別体のステレオ対応のスピーカ５４，５５およびサブウーハ５６が必要なため、構成部位が多く、運搬が大変であるばかりでなく、大きな設置スペースが必要であるという問題点を有していた。特に、サブウーハ５６は、重く大きいため運搬が大変で、設置スペースの大半を占めてしまっていた。さらに、スピーカ５４，５５およびサブウーハ５６は、全て別体であるため、広範囲での配線５７の引き回しが必要であり、設置するのが煩わしかった。
【０００７】
また、音響システム６０の設置面積を小さくする手段として、例えば、特許文献１の液晶ディスプレイの構成のように、プロジェクタ５１の本体にステレオ対応のスピーカを内蔵して、図６に示される別体のステレオ対応のスピーカ５４，５５を無くすことが考えられる。しかしながら、サブウーハについては、プロジェクタ５１の本体に内蔵することは困難であった。これは、プロジェクタ５１の本体に大口径のスピーカを設けるには、スペースが足りないこと、および、無理に内蔵させたとしても、低音の振動により投写映像がブレてしまうなどの問題が生じてしまうからであった。
【０００８】
上記課題を解決するために、本発明では、小さな設置スペースで、音響効果の優れた音響システムを簡便に構築することができるプロジェクタの設置スタンドを提供することを目的とする。
【課題を解決するための手段】
【０００９】
前記目的を達成するために、本発明に係るプロジェクタの設置スタンドは、映像を投写するプロジェクタを設置するスタンドであって、プロジェクタを設置するための設置板と、設置板を支持する本体部と、本体部を支持し、本体部の底部に設けられた複数のキャスターと、を備え、本体部に、低音域の音を発するスピーカを内蔵することを特徴とする。
【００１０】
この構成によれば、低音域の音を発するスピーカは本体部に内蔵されることから、２．１チャンネルの音響システムを構築するためにスタンドと同等の設置面積を持つ別体のサブウーハが必要であった従来のスタンドと異なり、プロジェクタの設置スタンドは、単体でサブウーハの機能を備えている。よって、別体のサブウーハが不要となるため、その分の設置スペースが削減される。
さらに、設置スタンドにステレオ対応のスピーカを追加することにより、容易に２．１チャンネルの音響システムを構築することができる。
従って、小さな設置スペースで、音響効果の優れた音響システムを簡便に構築することができるプロジェクタの設置スタンドを提供することができる。
【００１１】
本発明に係るプロジェクタの設置スタンドは、さらに設置板を支持し、本体部と接続する支柱を備え、支柱は、本体部からの突出長さを変更可能に設けられていることが好ましい。
【００１２】
この構成によれば、支柱は、本体部からの突出長さを変更可能に設けられていることから、支柱に支持されている設置板の位置は、本体部からの支柱の突出長さに応じた高さとなる。よって、設置板に設置されたプロジェクタは、設置板の高さに応じた位置に映像を投写する。
従って、所望の高さに映像を投写することができるプロジェクタの設置スタンドを提供することができる。
【００１３】
本発明に係るプロジェクタの設置スタンドによれば、設置板と支柱との間に、プロジェクタと同等の大きさの電子機器を設置可能な棚を有し、棚は、設置板を設置板の一辺を支点にして本体部に対して傾きを持たせるためのチルト機構を備えることが好ましい。
【００１４】
この構成によれば、設置板と支柱との間には、電子機器の設置棚が設けられることから、プロジェクタに映像信号などを供給する電子機器である映像信号供給装置を棚に設置することができる。また、プロジェクタおよび映像信号供給装置を設置したスタンドは、キャスターにより容易に移動することができる。
さらに、棚は、設置板に傾きを持たせるためのチルト機構を備えることから、設置板に設置されたプロジェクタは、設置板の傾きに沿った方向に映像を投写する。
よって、映像信号供給装置と、プロジェクタとからなる映像投写システムを一体として容易に移動でき、移動した場所で、所望の方向に映像を投写することができるプロジェクタの設置スタンドを提供することができる。
【００１５】
本発明に係るプロジェクタの設置スタンドによれば、設置板は、さらに弾性部材を有し、弾性部材は、設置板のプロジェクタが設置される設置範囲よりも広い範囲に設けられることが好ましい。
【００１６】
この構成によれば、弾性部材は、設置板のプロジェクタが設置される設置範囲よりも広い範囲に設けられることから、プロジェクタは、弾性部材の上に設置される。弾性部材は、弾性が高いことから摩擦係数が大きく、また、振動を吸収する性質を持っている。
よって、弾性部材の上に設置されたプロジェクタは、滑りにくくしっかりと設置板に設置される。また、本体部から発せられる低音域の音による低周波振動などの振動は、弾性部材により吸収され、プロジェクタには伝わらないため、プロジェクタが投写する映像は、ブレない。
【００１７】
本発明に係るプロジェクタの設置スタンドによれば、本体部は、外部からの電力を引き込むための電源ケーブルと、電源ケーブルから供給される電力を分配するための複数のコンセントと、プロジェクタを含む外部電子機器から供給される音を表す音声信号を入力する入力端子部と、電源ケーブルから供給された電力により音声信号を増幅してスピーカから発音させるアンプ部と、をさらに備えることが好ましい。
【００１８】
この構成によれば、本体部は電源ケーブルから供給される電力を分配するための複数のコンセントを有することから、スタンドに設置されたプロジェクタおよび映像信号供給装置に当該コンセントから電力を供給することができる。
また、音声信号を増幅してスピーカから発音させるアンプ部を備えることから、大きな音を発生することができる。
よって、電源ケーブルの配線が簡単で、収まりが良く、大きな音量を得ることができるプロジェクタの設置スタンドを提供することができる。
【００１９】
本発明に係るプロジェクタの設置スタンドによれば、本体部は、スピーカの背面から発せられる音の位相を反転させるための共振空間と、共振空間により位相が反転された音を放出する開口部と、をさらに備えることが好ましい。
【００２０】
この構成によれば、本体部は、音の位相を反転させるための共振空間と、位相が反転された音を放出する開口部とにより構成されるバス・レフレックス型（位相反転型）のスピーカボックスであることから、本体部から発する音は、スピーカ前面から発せられる音に、位相が反転されてスピーカ前面から発せられる音と同位相となった開口部からの音が重畳して、低音域が豊かになる。
従って、音響効果の優れた音響システムを構築することができるプロジェクタの設置スタンドを提供することができる。
【００２１】
本発明に係るプロジェクタの設置スタンドによれば、アンプ部は、音声信号における所定の周波数以下の周波数成分のみを通過させるローパスフィルタ回路と、音声信号の増幅度を調整するための音量調整回路と、を備え、ローパスフィルタ回路には、所定の周波数の設定値を調整するためのバス調整スイッチが含まれ、音量調整回路には、音量調整回路の音量を調整するための音量調整スイッチが含まれることが好ましい。
【００２２】
この構成によれば、アンプ部は、ローパスフィルタ回路の所定の周波数の設定値を調整するためのバス調整スイッチと、音量調整回路の音量を調整するための音量調整スイッチと、を備えることから、アンプ部は、設定された周波数以下の低音域の音声信号を調整された音量が得られるように増幅してスピーカに供給する。
従って、所望する周波数帯の低音を所望の音量で得ることができるプロジェクタの設置スタンドを提供することができる。
【００２３】
本発明に係るプロジェクタの設置スタンドによれば、少なくともバス調整スイッチおよび音量調整スイッチは、本体部における、プロジェクタが設置板に設置された状態で映像を投写する方向の反対側の面に設けられていることが好ましい。
【００２４】
この構成によれば、少なくともバス調整スイッチおよび音量調整スイッチは、本体部における、プロジェクタが設置板に設置された状態で映像を投写する方向の反対側の面に設けられていることから、スタンドの操作者は、バス調整スイッチおよび音量調整スイッチを操作するときに、プロジェクタの投写映像の方向に体の正面を向けて操作を行う。
従って、投写映像を見ながら、音質および音量調整を行うことができるプロジェクタの設置スタンドを提供することができる。
【００２５】
本発明に係るプロジェクタの設置スタンドによれば、本体部は、スピーカと組み合わせることにより音響システムを構築するための複数の外部スピーカを収納するスピーカ収納部をさらに備えることが好ましい。
【００２６】
この構成によれば、本体部は、スピーカと組み合わせることにより音響システムを構築するための複数の外部スピーカを収納するスピーカ収納部をさらに備えることから、複数の外部スピーカは、本体部と一緒に運搬され、さらに運搬された場所で、スピーカと組み合わせて音響システムを構築することができる。
よって、音響効果の優れた音響システムを簡便に構築することができるプロジェクタの設置スタンドを提供することができる。
【発明を実施するための最良の形態】
【００２７】
以下、添付図面に基づいて、本発明の実施形態を詳細に説明する。
【００２８】
（実施形態）
《スタンドの概要》
図１は、本発明の一実施形態におけるプロジェクタの設置スタンドの正面側からの斜視図である。図２は、プロジェクタの設置スタンドの背面側からの斜視図である。ここでは、図１と、図２を用いてプロジェクタの設置スタンドの概要について説明する。
プロジェクタの設置スタンドとしてのスタンド１は、設置板としての天板２と、電子機器の設置棚としての棚部３と、本体部４と、支柱２５と、複数のキャスター１１などから構成されている。
【００２９】
天板２は、プロジェクタを設置するための矩形状の平板であり、パイプ５と、振動吸収部材６を含んで構成されている。
パイプ５は、例えば、金属性のパイプであって、設置されたプロジェクタが落下しないように、スタンド１の側面方向へのプロジェクタの可動範囲を制限するストッパである。
弾性部材としての振動吸収部材６は、天板２の上面のプロジェクタが設置される設置範囲より広い範囲に設置されている。振動吸収部材６は、弾性が高く摩擦係数が大きい、例えばシリコーンゴムなどの弾性部材からなり、本体部４などから伝わって来る低周波振動を吸収する。
【００３０】
棚部３は、チルト機構を調整するためのチルトつまみ７と、電子機器を入れるための設置空間８を含んでいる。
天板２は、設置空間８の開口部と反対側の辺に蝶番２６が設けられ、当該辺を支点として、チルトつまみ７を含むチルト機構により傾きを持つことが可能である。チルト機構は、チルトつまみ７を回転させると、チルトつまみ７に連動するピニオンが回転し、ピニオンの回転運動を、天板２と接続するラック（いずれも図示せず）により直線運動に変換することにより、天板２に傾きを持たせる。プロジェクタは、映像を投写する投写レンズが、設置空間８の開口部側に来るように設置される。
設置空間８は、プロジェクタと同等の大きさの電子機器を収納できる容量がある。
【００３１】
本体部４は、スピーカ９、アンプ部１０、収納棚１２、電源ケーブル１３、入力端子部１４、開口部１５、コンセント部１６、出力端子部１７、スピーカ収納部２７などから構成されている。
スピーカ９は、低音域の音を効率良く発生することが可能なスピーカである。スピーカ９は、例えば１５ｃｍ以上の大口径のスピーカであり、樫板などの堅牢な材質からなる本体部４の背面に固定されている。スピーカ９の下側には、開口部１５が設けられている。
【００３２】
アンプ部１０は、低音増幅部と、外部出力増幅部（いずれも図示せず）とを含んで構成されている。低音増幅部は、音響システムにおいてサブウーハとして機能するスピーカ９に供給する低音域の音声信号を生成する。低音増幅部は、アンプ部１０の電源をオンオフする電源スイッチ１８と、音を規定する音声信号における所定の周波数以下の周波数成分のみを通過させる抵抗およびコンデンサなどからなるローパスフィルタ回路と、音声信号の増幅度を調整するためのオペアンプを含む音量調整回路（いずれも図示せず）などから構成されている。電源スイッチ１８は、個体内部に電源のオンオフを点灯および消灯により表すＬＥＤを内蔵している。
ローパスフィルタ回路には、バス調整スイッチ１９が含まれている。バス調整スイッチ１９は、回転式の周波数切替えスイッチであり、回転により選択されたローパスフィルタ回路を通過することができる上限の周波数としての所定の周波数を、ローパスフィルタ回路の設定値とする。
音量調整回路には、音量調整スイッチ２０が含まれている。音量調整スイッチ２０は、回転式の音量調整スイッチであり、回転により選択された位置に応じたアンプの増幅度をアンプ部１０の増幅度に設定する。
【００３３】
音声信号は、例えば、棚部３に設置されたＤＶＤプレーヤから入力端子１４を介してアンプ部１０に供給される。アンプ部１０に入力した音声信号は、ローパスフィルタ回路により、バス調整スイッチ１９の設定値に沿った低周波成分の音声信号となり、さらに音量調整スイッチ２０により調整された増幅度の増幅がなされて、スピーカ９に供給される。
外部出力増幅部は、スピーカ９をサブウーハとし、外部スピーカと組み合せて音響システムを構築する際に、外部スピーカに供給する音声信号を生成し、出力端子部１７から出力する。外部出力増幅部は、出力音量調整回路（図示せず）と、チャンネル切替えスイッチ２８、ボリューム調整スイッチ部２９などから構成されている。
出力音量調整回路は、オペアンプを含む増幅回路であり、例えば、入力端子部１４から入力するサラウンド対応の音声信号を増幅および分配して、出力端子部１７へ出力する。
【００３４】
チャンネル切替えスイッチ２８は、出力端子部１７へ出力する音声信号の切替えスイッチである。音声信号は、２．１チャンネル、または５．１チャンネルの音響システムに対応した出力切替えが可能である。
チャンネル切替えスイッチ２８の近傍には、どちらのチャンネルが選択されているかを示すＬＥＤが取り付けられており、チャンネルの選択状況を識別することができる。
ボリューム調整スイッチ部２９は、出力音量調整回路の増幅度を調整するためのスイッチである。ボリューム調整スイッチ部２９には、少なくとも２つの調整スイッチが設けられている。
例えば、チャンネル切替えスイッチ２８により、５．１チャンネルが選択されている場合、１つは、５．１チャンネル音響システムにおけるフロントおよびリアスピーカの音量調整を行い、残りの１つは、センタースピーカ用の音量調整行う。あるいは、フロントとリアスピーカのみの構成の場合は、フロント用と、リア用、それぞれの音量調整を行う。
【００３５】
収納棚１２は、本体部４への収納が可能な引出し型の棚である。例えば、ノート型のパーソナルコンピュータによりプレゼンテーションを行う場合などに、収納棚１２にパーソナルコンピュータを載せる。また、本体部４の対向面にも小型の収納棚を設置しても良い。これにより、それぞれの棚にステレオ対応のスピーカを設置することができる。
電源ケーブル１３は、先端にインレットが備えられている。電源ケーブル１３のインレットを商用電源が導かれているコンセントに差し込むことにより、アンプ部１０および複数のコンセント部１６に電力が供給される。
入力端子部１４は、例えば、棚部３に設置されたＤＶＤプレーヤなどの音声信号供給装置からの音声信号を入力するための複数の入力端子を備えている。複数の入力端子は、２ＲＣＡ型のピンジャック、ステレオミニジャック、S/PDIF（Sony／Philips Digital Interface Format）規格などに代表されるデジタル音声信号に対応した光端子などである。入力端子部１４から入力した音声信号は、アンプ部１０へ送られる。
コンセント部１６は、複数のコンセントとして少なくとも３口のコンセントを備えている。
【００３６】
出力端子部１７は、アンプ部１０の外部出力増幅部からの音声信号を、外部スピーカへ出力するための出力端子である。出力端子部１７は、少なくとも５つの出力端子を備えており、例えば、５．１チャンネルの音響システムを構築する場合は、フロントスピーカ用に２出力、リアスピーカ用に２出力、センタースピーカ用に１出力というように出力端子が割り振られる。また、２．１チャンネルの音響システムを構築する場合は、２つの出力端子を用いて、ステレオ対応の音声信号を出力する。また、出力端子部１７は、入力端子部１４と同様に、２ＲＣＡ型のピンジャック、ステレオミニジャック、光端子などから構成されている。
スピーカ収納部２７は、外部スピーカを収納するための収納部である。スピーカ収納部２７には、５．１チャンネルの音響システムを構築するのに必要な、フロントスピーカ２個、リアスピーカ２個、センタースピーカ１個が収納されている。また、スピーカを接続するためのケーブル類や、小型のノートパソコンなどを収納しても良い。
【００３７】
支柱２５は、天板２および棚部３と、本体部４とを接続し、さらに、本体部４からの突出長さを変えることにより、天板２および棚部３の高さを調整する。支柱２５の突出長さは、クランク６２を回転させることにより調整される。クランク６２を回すと、支柱２５の内部に設けられた連動するピニオン６４が回転し、ピニオン６４の回転運動を直線運動に変換するラック６３により、支柱２５の突出長さが調整される。
【００３８】
キャスター１１は、４つあり、略矩形をなした本体部４の底面の各頂点近傍に、それぞれ設けられている。キャスター１１は、金属や硬質樹脂などを含む堅牢な素材から構成されており、スタンド１およびスタンド１に設置されたプロジェクタなどの重さを支持するために必要な強度を有している。
４つのキャスター１１のうち、スピーカ９が設置されている前面の下方に設置されている２つのキャスター１１には、キャスター１１の回転を止めるためのストッパ２１が設けられている。ストッパ２１を停止方向にセットすると、キャスター１１は回転できなくなる。
【００３９】
図３は、本体部４のスピーカ９および開口部１５の側断面図である。スピーカ９には、アンプ部１０により増幅された音声信号がケーブル２２を介して入力している。
スピーカ９の背面には、スピーカ９の背面から発せられる音の位相を反転させるための共振空間２３が設けられている。開口部１５は、共振空間２３により位相が反転された音を放出する。
このように、本体部４は、共振空間２３と、開口部１５とにより構成されるバス・レフレックス型（位相反転型）のスピーカボックスとなっている。なお、スピーカ９が発する低音域の音は、指向性が乏しいため、スピーカ９を含むスピーカボックスは、本体部４の内部であればどこに設置されていても良い。
【００４０】
《スタンドの使用状況の一態様》
図４は、本発明のスタンドを用いて、プロジェクタがスクリーンＳＣに映像を投写している状況の一態様を表す図である。図５は、プロジェクタの概略構成図である。
図４および図５を用いてスタンド１の使用状況の一態様について説明する。
【００４１】
図４において、スタンド１の天板２には、プロジェクタ３０が設置されている。プロジェクタ３０は、ＤＶＤを再生するＤＶＤユニットと、ステレオ対応のスピーカ４６，４７を内蔵したプロジェクタである。
スタンド１には、電源ケーブル１３を介して外部の商用電源７０から交流電力が供給されている。プロジェクタ３０は、コンセント部１６から電力供給を受けて動作している。
【００４２】
《プロジェクタの概要》
ここで、図５を用いてプロジェクタ３０の概略構成について説明する。
プロジェクタ３０は、光源としてのランプ３１が放射した光を、赤色光、青色光、緑色光の光の３原色成分に分離し、分離された各色光を、各色光毎に光学部３２に含まれる光変調素子である各色光用の液晶ライトバルブにより、内蔵するＤＶＤユニット４４からの映像信号に応じて変調し、再度合成してスクリーンＳＣに投写する、いわゆる「液晶３板式プロジェクタ」である。また、プロジェクタ３０は、例えば、パーソナルコンピュータなどの外部の映像信号供給装置３３から入力される映像信号および音声信号により、映像を投写し、音声を再生することも可能である。
【００４３】
プロジェクタ３０は、ランプ３１、光学部３２、操作部３４、リモコン３５、映像信号処理部３６、液晶パネル駆動部３７、操作受付け部３８、電源部３９、ランプ駆動部４０、制御部４１、記憶部４２、Ｉ／Ｏブリッジ部４３、ＤＶＤユニット４４、音声処理部４５、スピーカ４６，４７、出力端子４８などから構成されている。
ランプ３１は、例えば、高圧水銀ランプや、メタルハライドランプ及びハロゲンランプなどの高輝度が得られる放電式ランプである。
光学部３２は、ランプ３１が放射する白色光を輝度分布の安定した略平行光に変換するインテグレータ光学系と、輝度分布の安定した白色光を光の３原色である赤色、緑色、青色の各色光成分に分離して各色光用の液晶ライトバルブに供給する分離光学系と、液晶ライトバルブにて各色光毎に映像信号に応じて変調された各色光を、再度合成する合成光学系（いずれも図示せず）とを含んで構成されている。
光学部３２は、合成光学系から射出されるフルカラーで略平行な変調光を内蔵する投写レンズで拡大した投写光により、スクリーンＳＣにフルカラー映像を投写する。
【００４４】
操作部３４は、プロジェクタ３０の外装部の天面に設けられた起動用の電源ボタン（図示せず）を含む複数の操作ボタンから構成されている。これらの操作ボタンにより、プロジェクタ３０の操作がなされる。
リモコン３５は、操作部３４と同様な複数の操作ボタンを備えた赤外線信号を発信するリモートコントローラである。リモコン３５の操作により、プロジェクタ３０の遠隔操作がなされる。
【００４５】
映像信号処理部３６は、ＤＶＤユニット４４などからＩ／Ｏブリッジ部４３を介して供給されるアナログ映像信号に後述する様々な映像信号処理を施すことができるように、映像信号に、映像信号をアナログ信号からデジタル信号に変換するＡ／Ｄ変換処理などを施す映像コンバータ（図示せず）を含んで構成されている。
映像信号処理部３６は、デジタル信号に変換された映像信号を、液晶ライトバルブで表示するのに適した信号とするために、映像データを映像メモリ（いずれも図示せず）に書き込み、所定の条件で読み出すなどの映像信号処理を行いデジタル映像信号として出力する。映像信号処理には、映像信号にて表される映像を拡大および縮小することにより液晶ライトバルブの持つ解像度に合わせるスケーリング処理や、映像信号の有する階調値を液晶ライトバルブで表示するのに適した階調値に変換するγ補正処理などが含まれている。
【００４６】
液晶パネル駆動部３７は、光学部３２の液晶ライトバルブ（図示せず）に映像信号処理部３６から入力した映像信号と、駆動電圧などを供給し、液晶ライトバルブに映像を写し出す。
操作受付け部３８は、リモコン３５などの操作部への操作がなされると、操作を受付け、制御部４１へ各種動作のトリガとなる操作信号を送る。
電源部３９は、外部電源７０からの交流電力をプラグから導き、内蔵するＡＣ／ＤＣ変換部（いずれも図示せず）にて変圧、整流および平滑するなどの処理を施すことにより安定化させた直流電圧をプロジェクタ３０の各部に供給する。
ランプ駆動部４０は、電源部３９からの電力供給を受け、放電式ランプであるランプ３１を点灯するために高電圧を発生して放電経路を形成するイグナイタ回路と、点灯後の安定した点灯状態を維持するためのバラスト回路（いずれも図示せず）を備えている。
【００４７】
制御部４１は、ＣＰＵ（Central Processing Unit）であり、バスラインＢusを介して、各部との信号のやり取りを行う。
記憶部４２は、例えば、フラッシュメモリなどデータの書き換えが可能な不揮発性のメモリ、または、マスクＲＯＭ（Read Only Memory）により構成されている。記憶部４２には、例えば、プロジェクタ３０を起動させるときの起動ルーチンや、ＤＶＤユニット４４によりＤＶＤの再生を行うためのプログラムなど、プロジェクタ３０の動作を制御するための様々なプログラムおよび付随するデータが記憶されている。
【００４８】
Ｉ／Ｏブリッジ部４３は、入力セレクタ部およびサウスブリッジ部（いずれも図示せず）を備えている。入力セレクタ部には、例えば、パーソナルコンピュータなどの映像信号供給装置３３からの複数の映像信号や、ＤＶＤユニット４４からの映像信号が入力する。入力セレクタ部は、これらの複数の映像信号の中から、１つの映像信号を選択して、映像信号処理部３６へ出力する。
サウスブリッジ部は、サウスブリッジであり、ＤＶＤユニット４４を制御するためのデバイスコントローラを含んでいる。
ＤＶＤユニット４４は、ＤＶＤの再生装置であり、セットされたＤＶＤを再生し、再生された映像信号および音声信号をＩ／Ｏブリッジ部４３に送る。
【００４９】
音声処理部４５は、オペアンプを含む増幅回路と、入力した音声信号を出力端子４８に分岐するための分岐回路（いずれも図示せず）を含んで構成されている。ＤＶＤユニット４４などから供給された音声信号は、バスラインＢusを介して音声処理部４５に入力し、増幅回路で増幅されてスピーカ４６，４７に供給される。また、分岐回路にて分岐されて、出力端子４８から出力される。
スピーカ４６，４７は、高温域から中音域の音を発するツイータ、または、スコーカ相当のステレオ対応のスピーカである。スピーカ４６，４７は、それぞれの放音口がプロジェクタ３０の天面と側面にまたがるように設置されている。
出力端子４８は、音声信号を出力するための端子であり、例えば、デジタル音声信号に対応した光端子である。
【００５０】
《音響システム》
前述したスタンド１およびプロジェクタ３０にて構成される音響システムについて図４を用いて説明する。
プロジェクタ３０は、ＤＶＤユニット４４（図５）にて映画のＤＶＤを再生し、その映像をスクリーンＳＣに投写し、ＤＶＤから読み取った音声信号を、ステレオ対応のスピーカ４６，４７で再生するとともに、光ファイバからなる音声ケーブル７１を介して、スタンド１の入力端子部１４へ入力している。
入力端子部１４へ入力した音声信号は、スタンド１のアンプ部１０にてバス調整スイッチ１９の設定値に沿った低周波成分の音声信号となり、さらに音量調整スイッチ２０により調整された増幅度の増幅がなされて、スピーカ９に供給される。
このようにして、プロジェクタ３０のスピーカ４６，４７およびスタンド１のスピーカ９により、２．１チャンネルの音響システムが構築される。
【００５１】
上述した通り、本実施形態によれば以下の効果が得られる。
（１）スタンド１のスピーカ９と、スタンド１に設置されたプロジェクタ３０のスピーカ４６，４７とにより、２．１チャンネルの音響システムが構築されることから、当該音響システムを構築するためには、スタンド１が置けるだけの小さなスペースがあれば良い。また、スタンド１にはキャスター１１が設置されているため、容易に移動させることができる。
よって、小さな設置スペースで、奥行きのある音が楽しめる２．１チャンネルの音響システムを簡便に構築することができる。
【００５２】
スタンド１のスピーカ９は、低音域の音を発生するのに適した大口径のスピーカであり、さらに、共振空間２３と、開口部１５とにより構成されるバス・レフレックス型のスピーカボックスに設置されていることから、重厚な重低音を発する。
また、プロジェクタ３０のスピーカ４６，４７は、それぞれの放音口がプロジェクタ３０の天面と側面にまたがるように設置されていることから、広範囲に音を発する。
よって、音響効果の優れた２．１チャンネルの音響システムを構築することができる。
また、プロジェクタ３０のスピーカ４６，４７のうち、１つを、高温域用のツイータ、もう１つを中音域用のスコーカとすると、スタンド１のスピーカ９による低音域用のウーハと合わせて、スリーウェイスピーカによる音響システムを構築することができる。
従って、小さな設置スペースで、音響効果の優れた音響システムを簡便に構築することができるプロジェクタの設置スタンド１を提供することができる。
【００５３】
（２）スタンド１の天板２の位置は、クランク６２により調整された支柱２５の本体部４からの突出長さに応じた高さに設置される。さらに、天板２は、チルトつまみ７を含むチルト機構の調整により所望の傾きを持つことから、天板２に設置されたプロジェクタ３０による映像は、天板２が設置された高さで、かつ、天板２の傾きに沿った方向に投写される。
また、スタンド１は、キャスター１１を備えることから、設置されているプロジェクタ３０の映像の投写方向を、スタンド１の向きを変えることにより水平方向に調整可能である。
よって、スタンド１と、プロジェクタ３０とからなる映像投写システムを一体として容易に移動でき、移動した場所で、所望の方向に映像を投写することができるプロジェクタの設置スタンド１を提供することができる。
【００５４】
（３）天板２と、本体部４との間には、棚部３が設けられていることから、プロジェクタに映像信号などを供給する所望の映像信号供給装置を棚部３に設置することができる。また、プロジェクタおよび映像信号供給装置を設置したスタンドは、キャスターにより容易に移動することができる。
よって、映像信号供給装置と、プロジェクタとからなる映像投写システムを一体として容易に移動でき、移動した場所で、所望の方向に映像を投写することができるプロジェクタの設置スタンド１を提供することができる。
【００５５】
（４）振動吸収部材６は、天板２の上面のプロジェクタが設置される設置範囲よりも広い範囲に設けられていることから、プロジェクタ３０は、振動吸収部材６の上に設置される。振動吸収部材６は、弾性が高いことから、振動を吸収する性質を持っている。また、摩擦係数が大きいため、その上に設置された物は、滑りにくい。
よって、振動吸収部材６の上に置かれたプロジェクタ３０は、滑りにくくしっかりと天板２に設置される。また、本体部４から発せられる低音域の音による低周波振動などの振動は、振動吸収部材６により吸収され、プロジェクタ３０には伝わらないため、プロジェクタ３０が投写する映像は、ブレない。
従って、プロジェクタをしっかりと設置でき、安定した投写映像を得ることができるプロジェクタの設置スタンド１を提供することができる。
【００５６】
（５）本体部４は電源ケーブル１３から供給される電力を分配するための複数のコンセント１６を備えることから、スタンド１に設置されたプロジェクタ３０および映像信号供給装置にコンセント１６から電力を供給することができる。
また、音声信号を増幅してスピーカ９から発音させるアンプ部１０を備えることから、大きな音を発生することができる。
従って、電源ケーブルの配線が簡単で、収まりが良く、大きな音量を得ることができるプロジェクタの設置スタンド１を提供することができる。
【００５７】
（６）本体部４は、音の位相を反転させるための共振空間２３と、位相が反転された音を放出する開口部１５とにより構成されるバス・レフレックス型のスピーカボックスであることから、本体部４から発する音は、スピーカ９の前面から発せられる音に、位相が反転されてスピーカ前面から発せられる音と同位相となった開口部１５からの音が重畳して、低音域が豊かになる。
従って、音響効果の優れた音響システムを構築することができるプロジェクタの設置スタンド１を提供することができる。
【００５８】
（７）アンプ部１０は、ローパスフィルタ回路の所定の周波数の設定値を調整するためのバス調整スイッチ１９と、音量調整回路の音量を調整するための音量調整スイッチ２０とを備えることから、アンプ部１０は、設定された周波数以下の低音域の音声信号を調整された音量が得られるように増幅してスピーカ９に供給する。
また、プロジェクタ３０からアンプ部１０に供給される音声信号は、ノイズの影響を受けにくい光ファイバからなる音声ケーブル７１を介して供給されるため、原音に近いクリアな音が得られる。
従って、所望する周波数帯のクリアな低音を所望の音量で得ることができるプロジェクタの設置スタンド１を提供することができる。
【００５９】
（８）バス調整スイッチ１９および音量調整スイッチ２０を含むアンプ部１０は、本体部４における、プロジェクタ３０が天板２に設置された状態で映像を投写する方向の反対側の面に設けられていることから、スタンド１の操作者は、バス調整スイッチ１９および音量調整スイッチ２０の操作を含む各種操作を行うときに、プロジェクタ３０の投写映像の方向に体の正面を向けて各種操作を行うこととなる。
従って、投写映像を見ながら、音質および音量調整を行うことができるプロジェクタの設置スタンド１を提供することができる。
【００６０】
（９）スタンド１は、出力端子部１７へ出力する音声信号を、２．１チャンネル、または５．１チャンネルの音響システム対応とするかを切替えるチャンネル切替えスイッチ２８と、フロントスピーカ２個、リアスピーカ２個、センタースピーカ１個を収納する収納部２７などを備えている。
よって、これらの外部スピーカを出力端子部１７に接続することにより、容易に２．１チャンネルまたは５．１チャンネルの音響システムを構築することができる。
従って、小さな設置スペースで、音響効果の優れた音響システムを簡便に構築することができるプロジェクタの設置スタンド１を提供することができる。
【００６１】
なお、本発明は上述した実施形態に限定されず、上述した実施形態に種々の変更や改良などを加えることが可能である。変形例を以下に述べる。
【００６２】
（変形例１）
図４を用いて説明する。前記実施形態において、ステレオ対応のスピーカは、プロジェクタ３０に内蔵されているものとして説明したがこれに限定するものではない。例えば、収納棚１２と同様な収納棚を、収納棚１２が設けられた本体部４の面と向かい合う面に設け、それぞれにスピーカを備え付けておき、収納棚を引き出すことにより、収納棚と一緒にスピーカが表れることとしても良い。この場合、２つのスピーカへの音声信号は、あらかじめ出力端子部１７から接続ケーブルにより各スピーカへ接続しておく。
この構成によれば、プロジェクタ３０にスピーカが内蔵されていない場合であっても、音響効果の優れた音響システムを簡便に構築することができるプロジェクタの設置スタンドを提供することができる。
【００６３】
（変形例２）
前記実施形態において、チャンネル切替えスイッチ２８および収納部２７に収納された外部スピーカにより、２．１チャンネルまたは５．１チャンネルの音響システムを構築する場合、外部電子機器３０から入力端子部１４に入力される音声信号は、光ケーブルおよび光端子により導かれ、さらに出力端子部１７から出力される音声信号も光ケーブルおよび光端子により外部スピーカに供給される構成であっても良い。
この構成によれば、伝達ロスおよび雑音が少ない音質の優れた音響システムを構築することができる。
【００６４】
（変形例３）
前記実施形態および変形例において、プロジェクタ３０は、光変調素子として３枚の液晶ライトバルブを用いた液晶３板式の投写型プロジェクタとして説明したが、これに限定するものではない。例えば、プロジェクタの光変調素子は、赤、青、緑色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成であっても良い。これらの構成であっても、前記実施形態および各変形例と同様の効果を得ることができる。
【図面の簡単な説明】
【００６５】
【図１】一実施形態におけるスタンドの正面側からの斜視図。
【図２】スタンドの背面側からの斜視図。
【図３】本体部のスピーカおよび開口部周辺の側断面図。
【図４】スタンドの使用状況の一態様を示す図。
【図５】プロジェクタの概略構成図。
【図６】従来のスタンドの使用状況の一態様を示す図。
【符号の説明】
【００６６】
１…プロジェクタの設置スタンドとしてのスタンド、２…設置板としての天板、３…棚としての棚部、４…本体部、５…パイプ、６…弾性部材としての振動吸収部材、７…チルト機構の一構成部位としてのチルトつまみ、８…電子機器の設置空間、９…スピーカ、１０…アンプ部、１１…複数のキャスター、１２…収納棚、１３…電源ケーブル、１４…入力端子部、１５…開口部、１６…複数のコンセント、１７…出力端子部、１９…ローパスフィルタ回路のバス調整スイッチ、２０…音量調整回路の音量調整スイッチ、２５…支柱、２７…スピーカ収納部、３０…プロジェクタ、６２…クランク、ＳＣ…スクリーン。
【図１】
2006235156.tif 000003
【図２】
2006235156.tif 000004
【図３】
2006235156.tif 000005
【図４】
2006235156.tif 000006
【図５】
2006235156.tif 000007
【図６】
2006235156.tif 000008